(57)【要約】【課題】構造も取扱いも簡単なアタッシュケースの錠前を得る。【解決手段】図は錠前２０の内部の機構を示す上方からみた断面図であって、中央の操作部３０はレバーホルダー３４に取り付けられた上方レバー３１と下方レバー３２の組み合わせ体、下方レバー３２と係合するカム板３３、カム板に取り付けられた右側リンク２４、左側リンク２５等から構成される。又操作部３０に併設されるダイヤル錠４０の数字盤４１の操作によって左右のリンク２４、２５の動きを阻止したり、解放したりするようになっている。リンク２４、２５の先端に、ケースの蓋に取り付けた係止鉤と係合するスライダー５０が介在する。このようにしてダイヤル錠４０と、レバー３１、３２の組み合わせ体の操作のみでケースの鎖錠、解錠が可能な錠前を得た。【選択図】　　図５
2004068394.tif 000002
【特許請求の範囲】
【請求項１】
アタッシュケースの錠前において、
ケースの本体に取り付けた操作部から左右にのびるリンクの先端に、ケースの蓋に取り付けた係止鉤との係合体を兼ねるスライダーが接するように設けられ、
ケース本体に、上記の操作部に併設されたダイヤル錠によって、上記のリンクの動きを阻止又は解放するように構成されていることを特徴とするアタッシュケースの錠前。
【発明の詳細な説明】
【０００１】
【発明の属する技術分野】
この発明はアタッシュケースなどに使用して便利な錠前に関する。
【０００２】
【従来の技術と課題】
従来のかばん類の錠前は、センターロックと両側のサイドロックを備え、キーなどでセンターロックを解錠して、サイドロックの解放を可能にしておいて、サイドロックを開くという順序で蓋をあけることを行っており、錠前の構造も操作も複雑であった。
【０００３】
そこでアタッシュケースなどには簡便に操作でき、キーなどを用いないで、ワンタッチで開閉が可能な錠前が望まれる。
【０００４】
【課題を解決するための手段】
そこでこの発明では前記の課題を解決するために、ケースの本体に取り付けた操作部から左右にのびるリンクの先端に、ケースの蓋に取り付けた係止鉤との係合体を兼ねるスライダーが接するように設けられ、ケース本体に上記の操作部に併設されたダイヤル錠によって上記のリンクの動きを阻止又は解放するように構成されていることを特徴とするアタッシュケースの錠前を得たものである。
【０００５】
【実施例】
図１はこの発明の錠前を備えたアタッシュケース１０の斜視図、図２は蓋を開いた状態を示す斜視図であって、１はケース本体、２は蓋、２０はこの発明の錠前、３０は錠前の操作部、４０はダイヤル錠をそれぞれ示している。又２２は錠前のセンターカバー、２３は同じくサイドカバーを示している。さらに３は蓋２に取り付けられている係止鉤、４は本体１に取り付けられているハンドルである。
【０００６】
図３は錠前２０の部分を取り出して示した正面図、図４は上面図、図５は内部の機構を示す断面図、図６は正面の方向からみた錠前と蓋の係止鉤との関係を示す断面図である。
【０００７】
錠前２０は外箱２１、中央のセンターカバー２２、両側のサイドカバー２３、中央に併設された操作部３０とダイヤル錠４０等から構成されている。外箱２１、カバー２２、２３はケースの外皮１１をはさんで取りつけられている。
【０００８】
操作部３０においては、上方レバー３１と下方レバー３２とが組み合わされてレバーホルダー３４に取り付けられている。図１０に上方レバー３１の、図１１に下方レバー３２の、図１２にレバーホルダー３４の斜視図がそれぞれ示されている。３５は上方、下方レバーの組み合わせ体をホルダー３４に取り付ける保持板、３７はレバー３１、３２の組み合わせ体を操作する操作片、３９はレバー組み合わせ体の回転軸である。図７は図５のＡ−Ａ断面図であって、図５、図７、図１１等から判るように下方レバー３２にカム溝３８が形成されていて、その溝３８とカム板３３とが係合している。
【０００９】
上方レバー３１の操作片３７に指をあてて上方レバー３１を回動させれば、上方レバーと組み合わされている下方レバー３２も同時に回動し、下方レバー３２のカム溝３８と係合している２個のカム板３３、３３がそれぞれ反対方向に移動する。さらにカム板３３の各々に右側リンク２４と左側リンク２５とが結合されていて、カム板３３とともに反対方向に移動する。図１２において３６はカム板３３の係合部が突き出してカム溝３８と係合するための孔である。
【００１０】
ダイヤル錠４０は任意の数の数字盤（図示の例では３個）４１を有し、所定の暗証番号を用いて左右のリンク２４、２５の動きを阻止したり（鎖錠状態）又は可能にしたり（解錠時）することができる。
【００１１】
左右のリンク２４、２５の先端に接してスライダー５０が介在している。図８はスライダー５０の斜視図、図９は図８をＤ方向からみた底面図であって、５１はケースの蓋２に取り付けられた係止鉤３との係合部、５２は蓋をしめた時係止鉤３がスライダー３内に入るための孔である。
【００１２】
図示の実施例においては、アタッシュケースの鎖錠時にはカム体３３、左右のリンク２４、２５、スライダー５０は全て中央に寄っていて、図６に示されるように蓋２に取り付けられた係止鉤３がスライダー５０の孔５２を通過して係止部５１と係合している。（具体的な構造としては、リンクとスライダーを一体とするか、結合すれば、構造が複雑となるので、外箱２１の両端にばねを配置し、スライダーを中央に向けて付勢することなどが考えられる。）
【００１３】
アタッシュケース１０の蓋２をあける時は、所定の暗証番号によってダイヤル錠４０を操作し、左右のリンク２４、２５の移動の阻止を解除する。（ダイヤル錠関係の機構については、周知の技術であり、この発明の要旨とは直接の関係はないので、詳細な記載は省略する。）そして上方レバー３１の操作片３７に指をかけて上方レバー３１を回動させれば、上方レバー３１と組み合わされている下方レバー３２も同じ方向に回動する。
【００１４】
そうすると下方レバー３２のカム溝３８と係合しているカム板３３はそれぞれカム溝に沿って互いに外方に移動する。そしてカム板の各々と結合されている右方リンク２４は右側へ、左方リンク２５は左側へ移動する。そしてそれぞれのリンクは対応しているスライダー５０を外側へ押す。（即ち図６においては、右方リンク２４がスライダー５０を右方に押す。）そのため左右のスライダー５０において、蓋２の係止鉤３と、スライダー５０の係合部５１との係合が外れ、蓋２を開けることができる。
【００１５】
蓋を閉めるときは、蓋を閉じれば、係止鉤３をスライダー５０に押し込む事によって、一時スライダー５０も外側に向かって動き、（即ち図６では右方向）又、元に戻ってスライダー５０の係合部５１と蓋２の係止鉤３とが係合し、鎖錠状態となる。その時、スライドするのはスライダー５０のみである。そしてダイヤル錠４０の数字盤を適当に廻し、左右のリンク２４、２５の動きを阻止すれば、操作片３７を動かすことができず、完全な鎖錠状態になる。
【００１６】
【発明の効果】
この発明のアタッシュケースの錠前は前記の如き構成であって、ダイヤル錠を使用し、中央の操作部の操作片を指で回動させることにより、一動作でアタッシュケースの錠前の解錠を行うことができる。
【図面の簡単な説明】
【図１】この発明の錠前を有するアタッシュケースの斜視図
【図２】同じく蓋を開いた状態の斜視図
【図３】錠前の部分を示す正面図
【図４】同じく上面図
【図５】内部の機構を示す断面図
【図６】錠前と蓋に取り付けた係止鉤の関係を示す断面図
【図７】図５のＡ−Ａ断面図
【図８】スライダーの斜視図
【図９】図８をＤ方向からみた底面図
【図１０】上方レバーの斜視図
【図１１】下方レバーの斜視図
【図１２】レバーホルダーの斜視図
【符号の説明】
１　　ケース本体
２　　蓋
３　　係止鉤
４　　ハンドル
１０　　アタッシュケース
２０　　錠前
２１　　外箱
２２　　センターカバー
２３　　サイドカバー
２４　　右側リンク
２５　　左側リンク
３０　　操作部
３１　　上方レバー
３２　　下方レバー
３３　　カム板
３４　　レバーホルダー
３５　　保持板
３６　　孔
３７　　操作片
３８　　カム溝
３９　　レバー回転軸
４０　　ダイヤル錠
４１　　数字盤
５０　　スライダー
５１　　係合部
５２　　係止鉤の通る孔
【図１】
2004068394.tif 000003
【図２】
2004068394.tif 000004
【図３】
2004068394.tif 000005
【図４】
2004068394.tif 000006
【図５】
2004068394.tif 000007
【図６】
2004068394.tif 000008
【図７】
2004068394.tif 000009
【図８】
2004068394.tif 000010
【図９】
2004068394.tif 000011
【図１０】
2004068394.tif 000012
【図１１】
2004068394.tif 000013
【図１２】
2004068394.tif 000014